(57)【特許請求の範囲】
【請求項１】
トリムに形成された開口部の表面にフィニッシャが設けられ、該フィニッシャの外周に、トリムの表面へ向けて屈曲された外周フランジが形成され、該外周フランジの当接部を前記開口部の開口縁部に当接させた状態で取り付けるフィニッシャの取付構造であって、
前記フィニッシャの裏面には、前記外周フランジに近接してボス部が突出形成され、
先端部に前記開口部の開口縁部裏面と当接する押付部が形成され、基端部に前記ボス部に固定される固定部が形成されたバネ材よりなるブラケットが設けられ、
該ブラケットの押付部と固定部との間に、前記外周フランジ上端の当接部が位置し、該外周フランジの当接部と前記ブラケットの押付部との間で前記開口部の開口縁部が弾性挟持されていることを特徴とするフィニッシャの取付構造。
【請求項２】
前記ブラケットの基端部が押付部より高い位置に形成され、基端部と押付部の間の中間部に、基端部側から押付部側に向かって低くなる高さ変化部が形成されると共に、基端部は前記トリムの開口縁部下面に前記外周フランジの当接部を当接させた状態で、前記ブラケットを前記トリムの開口部の斜め下方から開口部の開口縁部裏面側に挿入した時、前記ブラケットの高さ変化部の下面と前記開口部の開口縁部裏面側との間に空間が形成される高さに設定されていることを特徴とする請求項１に記載のフィニッシャの取付構造。
【請求項３】
前記ブラケットの高さ変化部が基端部側から押付部側に向かい徐々に低くなるように傾斜する傾斜面に形成されていることを特徴とする請求項２に記載のフィニッシャの取付構造。
【請求項４】
前記ブラケットの基端部にはボルト挿通孔が形成される一方、該ボルト挿通孔から見て前記押付部と反対側にピン挿通孔が形成される一方、前記ボス部の上端面にボルトねじ込み孔とピンが形成され、
前記ピン挿通孔に前記ピンを差し込んだ状態で前記ボルト挿通孔に挿通したボルトを前記ボルトねじ込み孔にねじ込むことにより前記ブラケットの基端部が前記ボス部の上端面に固定されていることを特徴とする請求項１〜３のいずれか一項に記載のフィニッシャの取付構造。
【請求項５】
前記ブラケットの基端部に、該ブラケットの基端を上方へ向けて突出する突部が形成され、
該突部の上端と前記ボルトの上端を結ぶ線が前記ピンの上端より高くなるように前記突部の高さが設定されていることを特徴とする請求項４に記載のフィニッシャの取付構造。
【発明の詳細な説明】
【技術分野】
【０００１】
本発明は、フィニッシャの取付構造に関する。
【背景技術】
【０００２】
従来、トリムに形成された開口部の開口縁部下面に対しフィニッシャの外周フランジを当接させた状態で取り付けるフィニッシャの取付構造としては、フィニッシャの外周フランジの一方の側縁部付近に該外周フランジを下片とする断面コ字状差し込み溝を構成する断面Ｌ状の係合フック部が樹脂により一体成型され、トリムに対しフィニッシャを傾斜させた状態で断面コ字状差し込み溝にトリムに形成された開口部の開口縁部を差し込んだ後に、外周フランジの他方の側縁部側に備えた固定手段でフィニッシャの他方側を固定するようにした構造のものが知られている（例えば、特許文献１参照）。
【特許文献１】特開２００３−９５０１８号公報
【発明の開示】
【発明が解決しようとする課題】
【０００３】
しかしながら、上述の従来の技術にあっては、上述のように、断面コ字状差し込み溝が樹脂で一体成型されたものであったため、取り付け後にガタ付かないように断面コ字状差し込み溝の溝幅をトリムの板厚より僅かに狭く形成しておく必要があるが、トリムにフィニッシャを取り付けるには、まず、トリムに対しフィニッシャを傾斜させた状態で断面コ字状差し込み溝にトリムに形成された開口部の開口縁部を差し込む必要があるため、差し込み操作が困難であると共に、差し込み時に外周フランジ部の先端縁部でトリムの表面を傷つける虞がある。
【０００４】
また、断面コ字状差し込み溝の溝幅とトリムの開口縁部の板厚との誤差により、トリムとフィニッシャとの間に隙が生じる虞がある。
【０００５】
本発明は、上述のような従来の問題点に着目して成されたもので、トリムに対するフィニッシャの取り付け作業をトリムの表面を傷つけることなしにガタを抑制しつつ、かつ、隙を低減した状態に取り付けることができるフィニッシャの取付構造を提供することを目的としている。
【課題を解決するための手段】
【０００６】
上述の目的を達成するために、本願請求項１に記載のフィニッシャの取付構造は、フィニッシャの裏面には、外周フランジに近接してボス部が突出形成され、先端部に開口部の開口縁部裏面と当接する押付部が形成され、基端部にボス部に固定される固定部が形成されたバネ材よりなるブラケットが設けられ、該ブラケットの押付部と固定部との間に、外周フランジ上端の当接部が位置し、該外周フランジの当接部とブラケットの押付部との間で開口部の開口縁部が弾性挟持されていることを特徴とする手段とした。
【発明の効果】
【０００７】
請求項１に記載のフィニッシャの取付構造では、上述のように、フィニッシャの裏面には、外周フランジに近接してボス部が突出形成され、先端部に開口部の開口縁部裏面と当接する押付部が形成され、基端部にボス部に固定される固定部が形成されたバネ材よりなるブラケットが設けられ、該ブラケットの押付部と固定部との間に、外周フランジ上端の当接部が位置し、該外周フランジの当接部とブラケットの押付部との間で開口部の開口縁部が弾性挟持されている構成としたことで、外周フランジの上端を支点として、ブラケットの先端部の押付部からトリムの開口縁部上面にブラケットの弾発力が加わるため、その反力が外周フランジの上端に加わり、外周フランジの上端がトリムの開口縁部を上方へ持ち上げる方向に作用する。
【０００８】
従って、取り付け後は、トリムの開口縁部表面とフィニッシャの外周フランジの当接部との隙間を低減した状態で取り付けられ、ガタを抑制できる。
【発明を実施するための最良の形態】
【０００９】
以下に、本発明の実施例を図面に基づいて説明する。
【実施例１】
【００１０】
この実施例のフィニッシャの取付構造は、請求項１〜５に記載の発明に対応する。
【００１１】
即ち、この実施例では、トリムに形成された開口部から挿入され、ルーフパネルの下に設けられるディスプレイユニットの周囲と、トリムの開口部との間を覆うフィニッシャのトリムに対する取付構造で、このトリム開口部の開口縁部に対しフィニッシャの外周フランジを当接させた状態で取り付けるトリムに対するフィニッシャの取付構造について説明する。
【００１２】
図１はこの実施例のフィニッシャの取付構造を示す斜視図、図２は図１のＤ−Ｄ線における拡大断面図、図３は実施例のフィニッシャの取付構造を示す取り付け工程図である。
【００１３】
この実施例のフィニッシャの取付構造は、トリム１と、フィニッシャ２と、を備えている。
【００１４】
上記トリム１には、図２、３（ロ）に示すように、ケーシングを有するディスプレイユニット（図示を省略）を取り付けるためのディスプレイユニット取付開口部１１（開口部）が形成されている。
【００１５】
上記ディスプレイユニットとトリム１のディスプレイユニット取付開口部１１との間には、その空間を覆うフィニッシャ２が設けられ、このフィニッシャ２には、図１、２に示すように、フィニッシャ本体２２の中央部に、図示を省略したディスプレイユニットのモニターを回転自在に収容し、モニターが収容状態から回転して使用状態に垂下する開口部２１が形成されている。
【００１６】
このフィニッシャ本体部２２の外周縁に、トリム１におけるディスプレイユニット取付開口部１１の開口縁部１２の開口縁部表面１２ｂに当接する外周フランジ２３がトリム１の表面へ向けて屈曲され上向きに突出する状態でフィニッシャ本体２２と一体に設けられている。
【００１７】
この外周フランジ２３は、車両前方側に設けられた前縁フランジ２３ｂと、車両左方側に設けられた左縁フランジ２３ｃと、車両右方側に設けられた右縁フランジ２３ｄと、車両後方側に設けられた後縁フランジ２３ｅとでフィニッシャ本体２２の外周縁全周に亘り一体に形成されている。
【００１８】
また、外周フランジ２３を形成している側のフランジ、すなわち、後縁フランジ２３ｅに近接したフィニッシャ本体２２の裏面２２ａの左右両端部には、ボス部２４がフィニッシャ本体２２と一体に突出形成されている。
【００１９】
このボス部２４の上端面２４ｃには、外周フランジ２３の前記後縁フランジ２３ｅの上端２３ａとの間で、トリム１に形成されたディスプレイユニット取付開口部１１の一側、すなわち、車両後方側の開口縁部１２ａを差し込んだ状態で弾性挟持するバネ鋼（バネ材）よりなるブラケット２６の基端部２６１側が固定されている。
【００２０】
このブラケット２６は、図２、図３（ロ）に示すように、前記ボス部２４の上端面２４ｃに固定され、先端部２６２が前記ディスプレイユニット取付開口部１１（開口部）の開口縁部１２ａの開口縁部裏面１２ｃに延在されたバネ鋼（バネ材）よりなるブラケット２６として設けられたものである。
【００２１】
また、このブラケット２６の先端部２６２には、前記開口部１１の開口縁部裏面１２ｃと当接し、この開口縁部裏面１２ｃを下方に押圧する押付部２６３が、開口縁裏面１２ｃに沿って形成されている。
【００２２】
また、このブラケット２６の基端部２６１には、前記ボス部２４の上端面２４ｃに固定される固定部２６４がボス部２４の上端面２４ｃに接して形成されている。
【００２３】
そして、このブラケット２６の押付部２６３と固定部２６４との間に、前記外周フランジ２３の後縁フランジ２３ｅの上端２３ａに形成された当接部Ｃが位置し、前記後縁フランジ２３ｅの上端２３ａと前記ブラケット２６の先端部２６２に形成された押付部２６３との間で前記開口部１１の開口縁部１２ａが弾性挟持されている。
【００２４】
さらに、このブラケット２６は、前記ボス部２４の上端面２４ｃに対する基端部２６１側の固定点Ａとトリム１の開口縁部１２ａの開口縁部裏面１２ｃに対する先端部２６２に形成された押付部２６３の当接部Ｂとの間の位置にトリム１の開口縁部１２ａの開口縁部表面１２ｂに対する外周フランジ２３の上端２３ａの当接部Ｃが位置するようにその長さが設定されている。なお、上記先端部２６２に形成された押付部２６３の当接部Ｂは、トリム１の開口縁部１２ａの開口縁部裏面１２ｃに対し面で当接するように面状に形成されている。
【００２５】
また、前記ブラケット２６の基端部２６１が、前記先端部２６２に形成された押付部２６３より高い位置に形成され、この基端部２６１と押付部２６３の間の中間部２６５には、基端部２６１側から押付部２６３側に向かって低くなっていく高さ変化部２６６が形成されている。
【００２６】
この基端部２６１の高さ、及び基端部２６１が固定される前記ボス部２４の高さは、前記トリム１の開口縁部１２ａの開口縁部表面１２ｂに対しし、前記外周フランジ２３の上端２３ａを当接させた状態で、前記ブラケット２６を前記トリム１の開口部１１の斜め下方から開口部１１の開口縁部裏面１２ｃに挿入した時、前記高さ変化部２６６の下面２６６ａに開口縁部１２ａが接触しないように、前記ブラケット２６の高さ変化部２６６の下面２６６ａと前記開口部１１の開口縁部裏面１２ｃとの間に空間２５が形成される高さに設定されている。
【００２７】
すなわち、取り付け状態において、前記外周フランジ２３の上端２３ａの外縁Ｄから前記ブラケット２６の高さ変化部２６６の下面２６６ａと略平行に延長した仮想線Ｆと、前記高さ変化部２６６の下面２６６ａとの間の空間Ｇが前記トリム１の開口縁部１２ａの板厚以上の寸法に設定されている。
【００２８】
また、前記ブラケット２６の高さ変化部２６５が、基端部２６１側から押付部２６３に向かって徐々に低くなるように傾斜する傾斜面２６ａに形成されている。すなわち、傾斜面２６ａは、ブラケット２６におけるボス部２４の上端面２４ｃに対する基端部２６１側の固定点Ａとトリム１の開口縁部１２ａの開口縁部表面に対する先端部２６２に形成された押付部２６３の当接部Ｂとの間に形成されている。
【００２９】
また、図２に示すように、トリム１の開口縁部１２ａの開口縁部表面１２ｂに対する外周フランジ２３の上端２３ａの当接部Ｃと、トリム１の開口縁部１２ａの開口縁部裏面１２ｃに対するブラケット２６の先端部２６２に形成された押付部２６３の側当接部Ｂとの間の幅Ｗがトリム１の開口縁部１２ａの板厚Ｈ以上に設定されている。
【００３０】
また、ブラケット２６の基端部２６１ａにはボルト挿通孔２６ｂが形成される一方、該ボルト挿通孔２６ｂから見て前記押付部２６３と反対側であるブラケット２６の基端２６１ａ側にピン挿通孔２６ｃが形成され、ボス部２４の上端面２４ｃにボルトねじ込み孔２４ａと位置決め用及び周り止め用のピン２４ｂが形成されている。
【００３１】
このピン２４ｂは、ボス部２４の上端面２４ｃより突出し、ボス部２４と一体に形成されている。そして、ピン挿通孔２６ｃにピン２４ｂを差し込んだ状態でボルト挿通孔２６ｃに挿通したタッピングねじ（ボルト）２７をボルトねじ込み孔２４ａにねじ込むことによりブラケット２６の基端部２６１がボス部２４の上端面２４ｃに固定されている。
【００３２】
そして、ブラケット２６のピン挿通孔２６ｃの位置よりさらにブラケット２６の基端部２６１ａ側に、ブラケット２６の基端２６１ａを上方へ向けて折り曲げ突出した突部２６ｄが形成され、該突部２６ｄの上端とタッピングねじ２７の上端を結ぶ線Ｅがピン２４ｂの上端より高くなるように突部２６ｄの高さが設定されている。
【００３３】
なお、図示を省略したが、ルーフパネル下に左右のルーフレールに跨って設けられた２本のルーフボウの間に渡されたディスプレイユニット固定用ブラケットにディスプレイユニットが取り付けられている。
【００３４】
そして、ブラケット２６をトリム１の開口縁部１２ａの開口縁部裏面１２ｃに差し込み、ブラケット２６の高さ変化部２６６の下面２６６ａと開口部１１の開口縁部裏面１２ｃとの間の空間２５にトリム１の開口縁部１２ａが位置した状態で外周フランジ２３の前縁フランジ２３ｂ側を固定する固定手段として、図１に示すように、外周フランジ２３の前縁フランジ２３ｂ近傍の左右両側部（左縁フランジ２３ｃ、右縁フランジ２３ｄ側）には上記ディスプレイユニットのケーシングに差し込み係合固定させるための端部クリップ２８と、フィニッシャ本体２２の中途部の左右両端部（左縁フランジ２３ｃ、右縁フランジ２３ｄ側）には上記ディスプレイユニットの固定用ブラケットに差し込み係合固定させるための中間クリップ２９が備えられている。
【００３５】
次に、実施例の作用・効果について説明する。
【００３６】
この実施例のトリム１に対するフィニッシャ２の取付構造では、上述のように構成されるため、トリム１の開口部１１にフィニッシャ２を取り付けるには、まず、図３（イ）に示すように、フィニッシャ２を斜めに傾斜させ、フィニッシャ２の外周フランジ２３の上端２３ａをトリム１の開口縁部表面１２ｂに当接させた状態で、ブラケット２６をトリム１の開口縁部裏面１２ｃ上方に差し込む。
【００３７】
次に、フィニッシャ２の車両前方側を（前縁フランジ２３ｂ側）トリム１の開口部１１方向に回動した押し付けることにより、端部クリップ２８と中間クリップ２９がディスプレイユニットのケーシングとディスプレイユニット固定用ブラケットにそれぞれ差し込み係合されると共に、図３（ロ）に示すように、外周フランジ２３の上端２３ａの当接部Ｃとブラケット２６の押付部２６３の当接部Ｂとの間にトリム１の開口縁部１２ａが隙間なく挟持され、これにより、開口部１１の開口縁部１２に外周フランジ２３を当接係合させた状態でトリム１の開口部１１にフィニッシャ２が取り付け固定された状態になる。
【００３８】
以上詳細に説明してきたように、この実施例のトリムに対するディスプレイユニットの取付構造では、上述のように、フィニッシャ２の裏面には、外周フランジ２３に近接してボス部２４が突出形成され、該ブラケット２６の先端部２６２に開口部１１の開口縁部裏面１２ｃと当接する押付部２６３が形成され、基端部２６１にボス部２４に固定される固定部２６４が形成されたバネ材よりなるブラケット２６が設けられ、該ブラケット２６の押付部２６３と固定部２６４との間に、後縁フランジの上端２３ａの当接部Ｃが位置し、該当接部Ｃとブラケット２６の押付部２６３との間で前記開口部１１の開口縁部１２が弾性挟持されているように構成されたことで、当接部Ｃを支点として、ブラケット２６の先端部２６２の押付部２６３からトリム１の開口縁部裏面１２ｃにブラケット２６の弾発力が加わるため、その反力が当接部Ｃに加わり、該当接部Ｃがトリム１の開口縁部１２を上方へ持ち上げる方向に作用する。
【００３９】
従って、取り付け後は、トリム１の開口縁部表面１２ｂとフィニッシャ２の外周フランジ２３の上端２３ａの当接部Ｃとの隙間を低減した状態で取り付けられ、ガタを抑制できる。
【００４０】
また、ブラケット２６の先端部２６２に形成された押付部２６３の当接部Ｂが、トリム１の開口縁部１２ａの開口縁部裏面１２ｃに対し面で当接するように面状に形成され、開口縁部裏面１２ｃを面で押さえることにより、取り付け安定性を高めることができるようになる。
【００４１】
また、前記ブラケット２６の高さ変化部２６５が、基端部２６１側から押付部２６３に向かって徐々に低くなるように傾斜する傾斜面２６ａに形成されることにより、図３（イ）に示すように、フィニッシャ２を傾斜させた状態でブラケット２３の先端部２６２に形成された押付部２６３側をトリム１の開口縁部１２ａの裏面１２ｃ側に差し込む操作が容易に行えるようになる。
【００４２】
また、図２に示すように、トリム１の開口縁部１２ａの開口縁部表面１２ｂに対する外周フランジ２３の上端２３ａの当接部Ｃと、トリム１の開口縁部１２ａの開口縁部裏面１２ｃに対するブラケット２６の先端部２６２に形成された押付部２６３の側当接部Ｂとの間の幅Ｗがトリム１の開口縁部１２ａの板厚Ｈ以上に設定されることによって、フィニッシャ２を傾斜させた状態でブラケット２３の先端部２６２側をトリム１の開口縁部１２ａの開口縁部上面１２ｂ側に差し込む操作がさらに容易に行えるようになる。
【００４３】
また、ブラケット２６の基端部２６１ａにはボルト挿通孔２６ｂが形成される一方、該ボルト挿通孔２６ｂから見て前記押付部２６３と反対側であるブラケット２６の基端２６１ａ側にピン挿通孔２６ｃが形成され、ボス部２４の上端面２４ｃにボルトねじ込み孔２４ａと位置決め用及び周り止め用のピン２４ｂが形成されることにより、簡単な構造で水平方向のねじり強度を確保することができるようになる。
【００４４】
また、ブラケット２６のピン挿通孔２６ｃの位置よりさらにブラケット２６の基端部２６１ａ側に、ブラケット２６の基端２６１ａを上方へ向けて折り曲げ突出した突部２６ｄが形成され、該突部２６ｄの上端とタッピングねじ２７の上端を結ぶ線Ｅがピン２４ｂの上端より高くなるように突部２６ｄの高さが設定されることにより、室内からの突き上げによるルーフパネルに対するピン２４ｂの当接を回避でき、これにより、ピン２４ｂの損傷を防止することができるようになる。
【００４５】
以上、本発明の実施例を図面に基づき説明してきたが、本発明は上述の実施例に限られるものではなく、本発明の要旨を逸脱しない範囲の設計変更等があっても、本発明に含まれる。
【００４６】
例えば、実施例では、トリム１に形成された開口部１１の開口縁部表面１２ｂに対しフィニッシャ２の外周フランジ２３を当接させた状態で取り付けるトリムに対するフィニッシャ２の取付構造について説明したが、フィニッシャとしては、ルームランプ装置その他の取付構造に適用することができる。
【００４７】
また、実施例では、フィニッシャ２の前縁フランジ２３ｂ側を固定する固定手段として、外周フランジ２３の前縁フランジ２３ｂ側の左右両側部には上記ディスプレイユニットのケーシングに差し込み係合固定させるための端部クリップ２８と、フィニッシャ本体２２の中途部の左右両端部には上記ディスプレイユニット固定用ブラケットに差し込み係合固定させるための中間クリップ２９を備えた構成としたが、固定手段は任意でありビス等公知の手段を用いることができる。
【図面の簡単な説明】
【００４８】
【図１】実施例のフィニッシャの取付構造を示す斜視図である。
【図２】図１のＤ−Ｄ線における拡大断面図である。
【図３】実施例のフィニッシャの取付構造を示す取り付け工程図である。
【符号の説明】
【００４９】
Ａ  基端部側の固定点
Ｂ  当接部
Ｃ  上端の当接部
Ｄ  外縁
Ｅ  線
Ｆ  仮想線
Ｇ  空間
Ｈ  板厚
Ｗ  幅
１  トリム
１１  開口部
１２  開口縁部
１２ａ  後縁フランジの開口縁部
１２ｂ  開口縁部表面
１２ｃ  開口縁部裏面
２  フィニッシャ
２１  モニター出入開口部
２２  フィニッシャ本体部
２３  外周フランジ
２３ａ  後縁フランジの上端
２４  ボス部
２４ａ  ボルトねじ込み孔
２４ｂ  ピン
１４ｃ  上端面
２５  空間
２６  ブラケット
２６ａ  傾斜部
２６ｂ  ボルト挿通孔
２６ｃ  ピン挿通孔
２６ｄ  突部
２６１  基端部
２６２  先端部
２６３  押付部
２６４  固定部
２６５  中間部
２６６  高さ変化部
２６６ａ  高さ変化部の下面
２７  タッピングねじ（ボルト）
２８  端部クリップ（固定手段）
２９  中間クリップ（固定手段）
【図１】
0005098546.tif 000002
【図２】
0005098546.tif 000003
【図３】
0005098546.tif 000004